(57)【要約】      （修正有）【課題】臭気に対して即効性のある消臭効果が得られる衛生薄葉紙を提供する。【解決手段】衛生薄葉紙は、少なくとも１枚の原紙で形成され、水に反応してアルカリ性または酸性を示す消臭成分が前記原紙に担持されている。また、原紙が、積層された２枚の水解性シートＳＴであり、消臭成分３０が水解性シートの積層間に担持されている。さらに、水解性シートが、複数の第１エンボス凸部５２を有する第１シート１０と、複数の第２エンボス凸部６２を有する第２シート２０とで構成され、第１シートの第１エンボス凸部が形成された形成面と第２シートの前記第２エンボス凸部が形成された形成面とが対面している。【選択図】図６
2020074977.tif 000002
【特許請求の範囲】
【請求項１】
少なくとも１枚の原紙で形成され、
水に反応してアルカリ性または酸性を示す消臭成分が前記原紙に担持されている、衛生薄葉紙。
【請求項２】
前記原紙が、積層された２枚の水解性シートであり、
前記消臭成分が前記水解性シートの積層間に担持されている、請求項１に記載の衛生薄葉紙。
【請求項３】
前記水解性シートが、複数の第１エンボス凸部を有する第１シートと、複数の第２エンボス凸部を有する第２シートとで構成され、
前記第１シートの前記第１エンボス凸部が形成された形成面と前記第２シートの前記第２エンボス凸部が形成された形成面とが対面する、請求項２に記載の衛生薄葉紙。
【請求項４】
前記第１シートの前記第１エンボス凸部の頂部と前記第２シートの前記第２エンボス凸部の頂部とが対面する、請求項３に記載の衛生薄葉紙。
【請求項５】
前記消臭成分が、水溶性の接着剤で覆われている、請求項１乃至４のいずれか１項に記載の衛生薄葉紙。
【請求項６】
前記消臭成分が、粒子状の固体である、請求項１乃至５のいずれか１項に記載の衛生薄葉紙。
【請求項７】
前記消臭成分が、炭酸塩および塩基性酸化物から選ばれる少なくとも１種である、請求項１乃至６のいずれか１項に記載の衛生薄葉紙。
【発明の詳細な説明】
【技術分野】
【０００１】
本発明は、衛生薄葉紙に関する。
【背景技術】
【０００２】
トイレットペーパー等の衛生薄葉紙は、使用される空間（例えば、トイレ内）の消臭を図るために、消臭成分が付与されているものがある。例えば、特開第２０１５−４７４０１号公報（特許文献１）には、トイレットペーパーが巻かれた紙管内にポリフェノール系消臭剤を含むトイレットロールが開示されている。
【先行技術文献】
【特許文献】
【０００３】
【特許文献１】特開第２０１５−４７４０１号公報
【発明の概要】
【発明が解決しようとする課題】
【０００４】
しかしながら、従来の衛生薄葉紙は、香りによるマスキング効果によって消臭を図るものであり、連続的に生じる臭気に対しては消臭効果を感じにくい。また、近年は無香タイプの衛生薄葉紙が好まれる傾向にあるが、無香タイプの消臭成分が付与された衛生薄葉紙では、臭気を徐々に消臭することはできるものであり、臭気に対して即効性のある消臭効果が得られにくい。
【０００５】
本発明の課題は、臭気に対して即効性のある消臭効果が得られる衛生薄葉紙を提供することである。
【課題を解決するための手段】
【０００６】
本発明に係る第１の態様は、少なくとも１枚の原紙で形成され、水に反応してアルカリ性または酸性を示す消臭成分が前記原紙に担持されている、衛生薄葉紙を提供する。
【０００７】
本明細書において、原紙とは、衛生薄葉紙を構成する紙である。少なくとも１枚の原紙とは、衛生薄葉紙が１枚以上の原紙で構成されていることを許容することを意味する。消臭成分とは、臭気を除去又は緩和する成分である。水に反応してアルカリ性または酸性を示すことは、消臭成分が水に触れるとアルカリ性または酸性を示すことを意味する。消臭成分が原紙に担持されているとは、消臭成分が原紙に付着されていることを示す。
【０００８】
第１の態様では、衛生薄葉紙を構成する少なくとも１枚の原紙に、水に触れるとアルカリ性または酸性を示す消臭成分が担持されている。これにより、原紙に担持された消臭成分は、水分を含む臭気元（臭気の発生源）に触れたときに、アルカリ性または酸性を示すことができる。なお、臭気を発生させる臭気元は、水分を含んだ状態で酸性またはアルカリ性を示す傾向があるため、水分を含む臭気元に触れた消臭成分は、臭気元と中和し、臭気元から生じる臭気を消臭することができる。
【０００９】
具体的には、水分を含んだ状態で酸性を示す臭気元に対しては、水に触れるとアルカリ性を示す消臭成分が中和反応する。また、水分を含んだ状態でアルカリ性を示す臭気元に対しては、水に触れると酸性を示す消臭成分が中和反応する。そして、これらの中和反応により塩が生じ、この塩に臭気元が固定される（または封じ込められる）。
【００１０】
このように中和反応により生じた塩に臭気元ＯＳが固定されることで、臭気元から生じる臭気を消臭することができる。第１の態様では、このような消臭作用により、消臭成分が臭気元に直接作用して消臭するため、臭気に対して即効性のある消臭効果が得られる。
【００１１】
本発明に係る第２の態様は、前記原紙が、積層された２枚の水解性シートであり、前記消臭成分が前記水解性シートの積層間に担持されている、衛生薄葉紙を提供する。本明細書において、水解性シートは、水に触れると分解または崩壊するシートである。また、積層された２枚の水解性シートは、２枚の水解性シートが上下に重ね合わされたものである。
【００１２】
第２の態様では、原紙が水解性シートで構成され、この水解性シートが２枚積層された積層間に、水に反応してアルカリ性または酸性を示す消臭成分が担持されている。すなわち、積層された２枚の水解性シートの内側に、消臭成分が担持されている。そのため、第２の態様では、衛生薄葉紙の使用時に消臭成分が使用対象に触れたり、付着するのを防ぐことができる。
【００１３】
また、第２の態様では、衛生薄葉紙が水に触れると、水解性シートが分解または崩壊して、２枚の水解性シートの積層間に担持されていた消臭成分が水と接触しやすくなる。そのため、第２の態様では、２枚の水解性シートの積層間に消臭成分が担持される場合でも、消臭成分と臭気元との中和反応が妨げられず、臭気に対して即効性のある消臭効果を維持することができる。
【００１４】
本発明に係る第３の態様は、前記水解性シートが、複数の第１エンボス凸部を有する第１シートと、複数の第２エンボス凸部を有する第２シートとで構成され、前記第１シートの前記第１エンボス凸部が形成された形成面と前記第２シートの前記第２エンボス凸部が形成された形成面とが対面する、請求項２に記載の衛生薄葉紙。
【００１５】
本明細書において、第１エンボス凸部は、エンボス加工により第１シートの一面に形成される凸部（凸エンボス）であり、第２エンボス凸部は、エンボス加工により第２シートの一面に形成される凸部（凸エンボス）である。また、第１シートの第１エンボス凸部が形成された形成面とは、エンボス加工により凸部（凸エンボス）が形成された第１シートの一面（凸部形成面）であり、第２シートの第２エンボス凸部が形成された形成面は、エンボス加工により凸部（凸エンボス）が形成された第２シートの一面（凸部形成面）である。
【００１６】
第３の態様では、水解性シートを凸部形成面が対面する第１シートと第２シートとで構成することにより、２枚の水解性シートの積層間に空間を形成することができる。そして、水解性シートの積層間に形成された空間には、消臭成分を収容することができる。これにより、水解性シートの積層間に消臭成分を確実に担持させることができる。また、水解性シートの積層間に担持される消臭成分の量を増やすことができる。
【００１７】
本発明に係る第４の態様は、前記第１シートの前記第１エンボス凸部の頂部と前記第２シートの前記第２エンボス凸部の頂部とが対面する、衛生薄葉紙を提供する。第４の態様では、第１シートと第２シートとの間で、エンボス凸部の頂部同士が対面することにより、エンボス凸部で囲まれ且つエンボス凸部が形成されない部分（以下、非エンボス部という場合がある）同士が対面する。なお、このようなエンボス構造は、ティップトゥティップ形式のエンボス構造と呼ばれている。
【００１８】
第４の態様では、このようにエンボス凸部の頂部同士が対面しかつ非エンボス部同士が対面することによって、頂部同士が対面する両シートのエンボス凸部によって囲まれた複数の空間が２枚の水解性シートの積層間に分散して形成される。このように水解性シートＳＴの積層間ＢＳに分散して形成された複数の空間には、それぞれ消臭成分を収容することができる。そのため、２枚の水解性シートの積層間に消臭成分を確実に担持しながら、水解性シートの全体に分散して担持することができる。
【００１９】
本発明に係る第５の態様は、前記消臭成分が、水溶性の接着剤で覆われている、衛生薄葉紙を提供する。本明細書において、消臭成分が接着剤で覆われているとは、消臭成分の全体または一部が接着剤で覆われていること、あるいは消臭成分が接着剤に含有されていることを示す。
【００２０】
第５の態様では、このように消臭成分が接着剤で覆われているため、衛生薄葉紙を構成する原紙（水解性シート等）に接着剤を介して消臭成分を確実に担持することができる。これにより、衛生薄葉紙の使用前または使用時に消臭成分が原紙（水解性シート等）から分離または脱離するのを防ぐことができる。
【００２１】
また、第５の態様では、接着剤が水溶性であるため、使用後の衛生薄葉紙が水分を含む臭気元に触れることで接着剤が溶解し、消臭成分は水と接触することができる。そのため、消臭成分が接着剤で覆われている場合でも、消臭成分と臭気元との中和反応が妨げられず、臭気に対して即効性のある消臭効果を維持することができる。
【００２２】
さらに、第５の態様では、接着剤で覆われた消臭成分を水解性シートの積層間に担持することにより、積層された２枚の水解性シートを接着することができる。そのため、第５の態様では、２枚の水解性シートの積層間に消臭成分を担持しながら、２枚の水解性シートを接着することができる。
【００２３】
本発明に係る第６の態様は、前記消臭成分が、粒子状の固体である、衛生薄葉紙を提供する。本明細書において、粒子状とは、粉または微細な粒の状態を意味する。第６の態様では、消臭成分が固体であるため、衛生薄葉紙の使用前に消臭成分が空気中の水分（湿気）と反応しにくい。また、消臭成分が粒子状であることから、消臭成分の表面積が大きくなるため、水分を含む臭気元に対して消臭成分が接触しやすくなる。そのため、第６の態様では、臭気に対して即効性のある消臭効果を、衛生薄葉紙の使用後に発揮させることができる。
【００２４】
本発明に係る第７の態様は、前記消臭成分が、炭酸塩および塩基性酸化物から選ばれる少なくとも１種である、衛生薄葉紙を提供する。炭酸塩および／または塩基性酸化物は、水に反応してアルカリ性を示す傾向がある。そのため、このような炭酸塩および／または塩基性酸化物を含む消臭成分は、水分を含んだ状態で酸性を示す臭気元（例えば、糞尿、生ごみ等）と中和反応することができる。これにより、第７の態様では、臭気元が水分を含んだ状態で酸性を示す場合に、その臭気元から連続的に生じる臭気に対して即効性のある消臭効果を発揮することができる。
【００２５】
また、炭酸塩は、固体であり、粒子状に加工しやすい。そのため、このような炭酸塩および／または塩基性酸化物を含む消臭成分は、衛生薄葉紙の使用前は空気中の水分と反応しにくく、衛生薄葉紙の使用後は水分を含んだ状態で酸性を示す臭気元と中和反応することができる。そのため、第７の態様では、臭気元が水分を含んだ状態で酸性を示す場合に、その臭気元から連続的に生じる臭気に対して即効性のある消臭効果を、衛生薄葉紙の使用後に発揮させることができる。
【発明の効果】
【００２６】
本発明の一態様によれば、臭気に対して即効性のある消臭効果が得られる衛生薄葉紙を提供することができる。
【図面の簡単な説明】
【００２７】
【図１】本発明の実施形態に係る衛生薄葉紙を示す図である。
【図２】本実施形態（第１実施形態）に係る衛生薄葉紙の原紙の断面を示す図である。
【図３】本実施形態に係る衛生薄葉紙の原紙に担持された消臭成分の断面を拡大して示す図である。
【図４】本実施形態に係る衛生薄葉紙の使用後の状態（原紙が水に接触した状態）を示す図である。
【図５】本実施形態に係る衛生薄葉紙の使用後の状態（消臭成分が臭気元に接触した状態）を示す図である。
【図６】本実施形態（第２実施形態）に係る衛生薄葉紙の原紙の断面を示す図である。
【発明を実施するための形態】
【００２８】
以下、本発明の実施の形態について、図面を参照しながら詳細に説明する。なお、以下に示す説明では、各図において共通する部分については、同一の符号を付して説明を省略する場合がある。また、以下の説明では、理解を容易にするため、各図面における各部材の縮尺は実際とは異なる場合がある。
【００２９】
図１は、本発明の実施形態に係る衛生薄葉紙を示す。また、図２は、本実施形態に係る衛生薄葉紙の原紙の断面を示す。さらに、図３は、本実施形態に係る衛生薄葉紙の原紙に担持された消臭成分の拡大された断面を示す。
【００３０】
本実施形態に係る衛生薄葉紙１００は、本発明に係る衛生薄葉紙の一例であり、ロールタイプのトイレットペーパー（トイレットロール）ＳＲを構成する。トイレットロールＳＲ（衛生薄葉紙１００）は、少なくとも１枚の原紙ＳＴで形成され、図１に示すように、原紙ＳＴが筒状コアＰＴに巻き付けられている。
【００３１】
なお、衛生薄葉紙１００の用途は、トイレットペーパーに限定されず、キッチンペーパー、ティシュペーパー等に用いることができる。また、衛生薄葉紙１００の形態は、ロールタイプに限定されず、ピックアップ式、ポップアップ式等と称される枚葉の衛生薄葉紙が折畳み積層された積層タイプ等を用いることができる。
【００３２】
また、衛生薄葉紙１００において、原紙ＳＴが巻き付けられる筒状コアＰＴは、周方向に原紙ＳＴが巻き付けられるものであれば、特に限定されない。このような筒状コアＰＴとしては、例えば、中空円筒状の巻芯を用いることができる。また、筒状コアＰＴの材質は、特に限定されず、紙、樹脂等を用いることができる。
【００３３】
なお、本例のように、衛生薄葉紙１００がトイレットロールの場合には、円筒状の厚紙製の巻芯（紙管ともいう）を用いることができる。このような紙管の形態は、特に限定されず、例えば、一層の厚紙で構成したもの、複数層の厚紙で構成したもののいずれでもよく、厚紙への印刷や消臭剤の塗工を事前に行った塗工厚紙原紙でも良い。また紙管の巻き方は、特に限定されず、例えば、平巻きのもの、螺旋状に巻かれたもの（いわゆるスパイラル紙管）等のいずれでもよい。
【００３４】
本実施形態において、原紙ＳＴは、衛生薄葉紙１００を構成する紙である。このような原紙ＳＴには、例えば、水解性シートを用いるのが好ましい。ここで、水解性シートとは、水に触れると分解または崩壊するシートである。また、水解性は、ＪＩＳ  Ｐ  ４５０１（２００６）に順じたほぐれやすさの試験により１００秒以内に水にほぐれ、溶解する性質である。このような原紙ＳＴを構成する水解性シートは、特に限定されないが、例えば、クレープ紙を用いることができる。なお、クレープ紙とは、抄紙工程において抄紙機のドライヤーの出口で、ドクターブレードと呼ばれる刃を当てることにより表面に細かいシワが形成された紙である。
【００３５】
原紙（水解性シート）ＳＴを構成するクレープ紙には、原料がパルプを主材とする紙が用いられる。原紙（水解性シート）ＳＴを構成するクレープ紙のパルプ組成は、トイレットペーパー等の衛生薄葉紙に使用可能であれば特に限定されず、例えば、パルプの配合割合を５０質量％以上、好ましくは９０質量％以上、より好ましくは１００質量％とすることができる。
【００３６】
また、原紙（水解性シート）ＳＴを構成するクレープ紙のパルプ組成は、例えば、ＮＢＫＰ（針葉樹クラフトパルプ）やＮＵＫＰ（針葉樹未晒しパルプ）などの針葉樹パルプと、ＬＢＫＰ（広葉樹クラフトパルプ）やＬＵＫＰ（広葉樹未晒しパルプ）などの広葉樹パルプとを適宜の比率で使用することができる。針葉樹パルプと広葉樹パルプの比は、２０：８０〜８０：２０とすることができる。
【００３７】
原紙（水解性シート）ＳＴを構成するクレープ紙の坪量は、特に限定されないが、例えば、ＪＩＳ  Ｐ  ８１２４（１９９８）で測定された坪量（または米坪）を採用することができる。例えば、クレープ紙がトイレットペーパーの場合、１プライあたりの坪量は、１０．０〜４０．０ｇ／ｍ２であり、好ましくは１２．０〜３０．０ｇ／ｍ２であり、より好ましくは１４．０〜２５．０ｇ／ｍ２である。また、クレープ紙がキッチンペーパーの場合、１プライあたり坪量は、１５．０〜５５．０ｇ／ｍ２であり、好ましくは１８．０〜５０．０ｇ／ｍ２であり、より好ましくは２０．０〜４５．０ｇ／ｍ２である。
【００３８】
また、原紙（水解性シート）ＳＴを構成するクレープ紙の紙厚は、特に限定されず、例えば、ＪＩＳ  Ｐ  ８１１１（１９９８）の環境下で測定された紙厚を採用することができる。例えば、クレープ紙がトイレットペーパーの場合、１プライあたりの紙厚は、５０〜４００μｍであり、好ましくは６０〜３５０μｍであり、より好ましくは７０〜３３０μｍである。また、クレープ紙がキッチンペーパーの場合、１プライあたりの紙厚は、１００〜５００μｍであり、好ましくは１５０〜４８０μｍであり、好ましくは２００〜４５０μｍである。
【００３９】
なお、糊等により積層された２プライのクレープ紙が接着されたラミネート状態の場合、２プライあたりの紙厚は、トイレットペーパーでは、１００〜７５０μｍであり、好ましくは１２０〜６５０μｍであり、より好ましくは１４０〜６００μｍである。また、２プライあたりの紙厚は、キッチンペーパーでは、２００〜８００μｍであり、好ましくは３００〜７５０μｍであり、より好ましくは４００〜７００μｍである。
【００４０】
なお、紙厚の測定方法は、試験片をＪＩＳ  Ｐ  ８１１１（１９９８）の条件下で十分に調湿した後、同条件下でダイヤルシックネスゲージ（厚み測定器）「ＰＥＡＣＯＣＫ  Ｇ型」（尾崎製作所製）を用いて２プライの状態で測定する。具体的には、プランジャーと測定台の間にゴミ、チリ等がないことを確認してプランジャーを測定台の上におろし、該ダイヤルシックネスゲージのメモリを移動させてゼロ点を合わせる。次いで、プランジャーを上げて試料を試験台の上におき、プランジャーをゆっくりと下ろしたときのゲージを読み取る。このとき、プランジャーは載せるだけとする。プランジャーの端子は金属製で直径１０ｍｍの円形の平面が紙平面に対し垂直に当たるようにし、この紙厚測定時の荷重は、約７０ｇｆである。なお、紙厚は測定を１０回行って得られる平均値とする。
【００４１】
また、本実施形態（第１実施形態）では、原紙ＳＴを構成する水解性シートが、図２に示すように、第１シート１０と第２シート２０とで構成されている。具体的には、原紙ＳＴが、積層された２枚の水解性シート（第１シート１０と第２シート２０）で構成されている。すなわち、２枚の水解性シート（第１シート１０と第２シート２０）は、上下に重ね合わされている。
【００４２】
ここで、原紙ＳＴを構成する２枚の水解性シート（第１シート１０と第２シート２０）は、本発明に係る衛生薄葉紙を構成する少なくとも１枚の原紙ＳＴの一例である。また、少なくとも１枚の原紙ＳＴは、衛生薄葉紙１００が１枚以上の原紙ＳＴで構成されていればよいことを示す。
【００４３】
また、本実施形態では、原紙ＳＴに消臭成分３０が担持されている。そして、消臭成分３０は、水に反応してアルカリ性または酸性を示す。ここで、消臭成分３０とは、臭気を除去又は緩和することができる成分を示す。また、消臭成分３０が水に反応してアルカリ性または酸性を示すことは、消臭成分３０が水に触れるとアルカリ性または酸性を示すことを意味する。また、消臭成分３０が原紙ＳＴに担持されていることは、消臭成分３０が原紙ＳＴに付着されていることを示す。
【００４４】
本実施形態では、図２に示すように、２枚の原紙ＳＴを構成する水解性シート（第１シート１０及び第２シート２０）が積層された積層間ＢＳに、消臭成分３０が担持されている。すなわち、消臭成分３０は、積層された２枚の水解性シートＳＴの内側に担持されている（図２参照）。
【００４５】
なお、原紙（水解性シート）ＳＴの枚数は、２枚に限定されず、１枚のみでも、３枚以上でもよい。例えば、原紙（水解性シート）ＳＴの枚数が１枚のみの場合は、１枚の原紙（水解性シート）ＳＴのいずれか一方の面または両面あるいは原紙（水解性シート）ＳＴの内部に消臭成分３０を担持すればよい。また、原紙（水解性シート）ＳＴの枚数が３枚以上の場合は、積層された３枚以上の水解性シートＳＴの各積層間に消臭成分３０を担持してもよく、また少なくとも１つの積層間に消臭成分３０を担持してもよい。
【００４６】
本実施形態において、消臭成分３０の形態は、特に限定されないが、水解性シートに担持させる消臭成分３０は粒子状の固体、または水溶性カプセルに消臭成分３０を内包したカプセル状の粒子状の個体であることが好ましい。ここで、粒子状とは、粉または微細な粒の状態を意味する。消臭成分３０がこのような粒子状の固体である場合、消臭成分３０の平均粒子径は、好ましくは１μｍ〜３００μｍであり、より好ましくは３μｍ〜２００μｍであり、さらに好ましくは６μｍ〜１００μｍである。なお、本明細書において、平均粒子径は、ＪＩＳ  Ｚ  ８８１５（２０１３）に準拠したレーザー回折・散乱法により測定した粒径分布に基づき、ＪＩＳ  Ｚ  ８８１９（２００１）に準拠して計算される体積基準積算分布が５０％となる値（ｄ５０）を用いる。
【００４７】
また、本実施形態において、消臭成分３０を構成する材料は、水に反応してアルカリ性または酸性を示すものであれば、特に限定されない。水に反応してアルカリ性を示すものとしては、例えば、炭酸塩および／または塩基性酸化物を用いることができ、中でも、炭酸ナトリウム、炭酸水素ナトリウム（重炭酸ナトリウム）、セスキ炭酸ナトリウム、炭酸カルシウム、酸化カルシウムのいずれか１種またこれらの混合物が好ましく、より好ましくは炭酸カルシウムまたは酸化カルシウムである。また、水に反応して酸性を示すものとしては、例えば、有機酸を用いることができ、中でも、クエン酸、リンゴ酸、乳酸のいずれか１種またこれらの混合物が好ましく、より好ましくはクエン酸またはリンゴ酸である。なお、炭酸塩および／または塩基性酸化物が、潮解性をもつ固体や常温にて揮発する性質をもつ場合は、ゼラチンカプセルやシクロデキストリン等によるカプセル状態とするのが好ましい。
【００４８】
また、本実施形態において、消臭成分３０は、水溶性の接着剤３２で覆われていることが好ましい。具体的には、図３に示すように、消臭成分３０は、消臭剤３１の全体が接着剤３２で被覆されたものである。ここで、消臭成分３０が接着剤３２で覆われているとは、消臭剤３１の全体が覆われている場合に限られず、消臭剤３１の一部が接着剤３２で覆われている場合、あるいは消臭剤３１が接着剤３２に含有されている場合が含まれる。
【００４９】
なお、水溶性の接着剤３２の材質は、特に限定されないが、例えば、ポリビニルアルコール、デンプン、変性デンプン、寒天、シクロデキストリン等、またはカルボキシメチルセルロース、セルロースナノファイバー等のセルロース系接着剤等が挙げられる。
【００５０】
図４及び図５は、本実施形態に係る衛生薄葉紙の使用後の状態を示す図である。ここでは、図４、図５を用いて、本実施形態による効果について説明する。本実施形態では、まず衛生薄葉紙１００が水に触れると、水解性シートＳＴ（第１シート１０及び第２シート２０）が分解または崩壊する。そして、２枚の水解性シートＳＴの積層間ＢＳに担持された消臭成分３０は、水と接触しやすくなる（図４参照）。
【００５１】
水に接触した消臭成分３０は、水に反応してアルカリ性または酸性を示し、さらに水分を含む臭気元ＯＳに接触する（図５参照）。これにより、本実施形態では、原紙ＳＴに担持された消臭成分３０が、水分を含む臭気元（臭気の発生源）ＯＳに触れたときに、アルカリ性または酸性を示すことができる。なお、臭気を発生させる臭気元ＯＳは、水分を含んだ状態で酸性またはアルカリ性を示す傾向があるため、水分を含む臭気元ＯＳに触れた消臭成分３０は、臭気元ＯＳと中和し、臭気元ＯＳから生じる臭気を消臭することができる。
【００５２】
本実施形態では、臭気元ＯＳが水分を含んだ状態で酸性を示すのに対して、消臭成分３０が水に触れるとアルカリ性を示すことで、消臭成分３０が臭気元ＯＳと中和反応する。そして、これらの中和反応により塩が生じ、この塩に臭気元ＯＳが固定される（または封じ込められる）。なお、水分を含んだ状態でアルカリ性を示す臭気元ＯＳに対しては、水に触れると酸性を示す消臭成分３０を用いて、中和反応させればよい。
【００５３】
このように中和反応により生じた塩に臭気元ＯＳが固定されることで、臭気元ＯＳから生じる臭気を消臭することができる。本実施形態では、このような消臭作用により、消臭成分３０が臭気元ＯＳに直接作用して消臭するため、臭気に対して即効性のある消臭効果が得られる。
【００５４】
具体的には、例えば、衛生薄葉紙１００がトイレットペーパーの場合は、水洗トイレ等で排泄された糞尿（水分を含んだ状態で酸性を示す臭気元ＯＳ）に消臭成分３０が直接作用することで、臭気に対して即効性のある消臭効果が得られる。また、衛生薄葉紙１００がキッチンペーパーの場合は、台所等で発生する生ごみの腐敗臭（水分を含んだ状態でアルカリ性を示す臭気元ＯＳ）に対して消臭成分３０が直接作用することで、臭気に対して即効性のある消臭効果が得られる。
【００５５】
また、本実施形態では、上述のように２枚の水解性シートＳＴの積層間ＢＳ（積層された２枚の水解性シートＳＴの内側）に消臭成分３０が担持されているため、衛生薄葉紙１００の使用時に消臭成分３０が使用対象に触れたり、付着するのを防ぐことができる。ここで、使用対象とは、例えば、衛生薄葉紙が本例のようなトイレットペーパーの場合は、人の肌（お尻等）であり、衛生薄葉紙がキッチンペーパーの場合は、食器や食材等である。
【００５６】
また、上述のように衛生薄葉紙１００が水に触れると、水解性シートＳＴが分解または崩壊して、２枚の水解性シートＳＴの積層間ＢＳに担持された消臭成分３０が水と接触しやすくなる。そのため、本実施形態では、２枚の水解性シートＳＴの積層間ＢＳに消臭成分３０が担持される場合でも、消臭成分３０と臭気元ＯＳとの中和反応が妨げられず、臭気に対して即効性のある消臭効果を維持することができる。
【００５７】
また、本実施形態では、上述のように消臭成分３０が固体であるため、衛生薄葉紙１００の使用前に消臭成分３０が空気中の水分（湿気）と反応しにくい。また、消臭成分３０が粒子状であることから、消臭成分３０の表面積が大きくなるため、水分を含む臭気元ＯＳに対して消臭成分３０が接触しやすくなる。そのため、本実施形態では、臭気に対して即効性のある消臭効果を、衛生薄葉紙１００の使用後に発揮させることができる。
【００５８】
また、本実施形態では、上述のように消臭成分３０に炭酸塩および／または塩基性酸化物を用いることにより、消臭成分３０が水に反応してアルカリ性を示すことができる。そのため、このような炭酸塩および／または塩基性酸化物を含む消臭成分３０は、水分を含んだ状態で酸性を示す臭気元ＯＳ（例えば、糞尿、生ごみ等）と中和反応することができる。これにより、本実施形態では、臭気元ＯＳが水分を含んだ状態で酸性を示す場合に、臭気元ＯＳから連続的に生じる臭気に対して即効性のある消臭効果を発揮することができる。
【００５９】
また、上述の炭酸塩および塩基性酸化物は、いずれも固体であり、粒子状に加工しやすい。そのため、このような炭酸塩および／または塩基性酸化物を含む消臭成分３０は、衛生薄葉紙１００の使用前は空気中の水分と反応しにくく、衛生薄葉紙１００の使用後は水分を含んだ状態で酸性を示す臭気元ＯＳと中和反応することができる。これにより、本実施形態では、臭気元ＯＳが水分を含んだ状態で酸性を示す場合に、臭気元ＯＳから連続的に生じる臭気に対して即効性のある消臭効果を、衛生薄葉紙１００の使用後に発揮させることができる。
【００６０】
また、本実施形態では、上述のように消臭成分３０が接着剤３２で覆われているため、衛生薄葉紙１００を構成する原紙ＳＴ（水解性シート等）に接着剤３２を介して消臭成分３０を確実に担持することができる。これにより、衛生薄葉紙１００の使用前または使用時に消臭成分３０が原紙ＳＴ（水解性シート等）から分離または脱離するのを防ぐことができる。
【００６１】
また、上述のように接着剤３２が水溶性であるため、使用後の衛生薄葉紙１００が水分を含む臭気元ＯＳに触れることで接着剤３２が溶解し、消臭成分３０は水と接触することができる。そのため、本実施形態によれば、消臭成分３０が接着剤３２で覆われている場合でも、消臭成分３０と臭気元ＯＳとの中和反応が妨げられず、臭気に対して即効性のある消臭効果を維持することができる。
【００６２】
さらに、上述のように接着剤３２で覆われた消臭成分３０を水解性シートＳＴの積層間ＢＳに担持することにより、積層された２枚の水解性シートＳＴを接着することができる。そのため、本実施形態によれば、２枚の水解性シートＳＴの積層間ＢＳに消臭成分３０を担持しながら、２枚の水解性シートＳＴを接着することができる。
【００６３】
なお、衛生薄葉紙１００の使用態様は、特に制限されない。例えば、衛生薄葉紙１００がトイレットペーパーの場合は、使用済（お尻等を拭いた後）のトイレットペーパーをトイレの便器に廃棄すればよい。これにより、トイレットペーパーが水に触れて分解または崩壊し、消臭成分３０が臭気元ＯＳに接触することで、即効性のある消臭効果が発揮される。なお、より即効性のある消臭効果を発揮させる観点から、糞尿が排泄される前に、未使用（お尻等を拭く前）のトイレットペーパーを予め便器内に投入してもよい。
【００６４】
また、衛生薄葉紙１００がキッチンペーパーの場合は、使用済（食器等を拭いた後）にキッチンペーパーを、生ゴミ等が収容されたゴミ袋等に廃棄すればよい。これにより、キッチンペーパーは、ゴミ袋等内で密閉された状態で水に触れて分解または崩壊し、消臭成分３０が臭気元ＯＳに接触するため、ゴミ袋等内の生ゴミ等から発生する臭気に対して即効性のある消臭効果を維持することができる。なお、より即効性のある消臭効果を持続させる観点から、未使用（食器等を拭く前）のキッチンペーパーを、生ゴミ等を収容する前のゴミ袋等に予め投入してもよい。
【００６５】
図６は、本実施形態（第２実施形態）に係る衛生薄葉紙の原紙の断面を示す図である。第２実施形態では、原紙ＳＴが２枚の水解性シート（第１シート１０及び第２シート２０）で構成され、さらに、第１シート１０は複数の第１エンボス凸部５２を有し、第２シート２０は複数の第２エンボス凸部６２を有する。
【００６６】
具体的には、図６に示すように、第１シート１０は、エンボス加工により形成された第１エンボス部５０を有し、第２シート２０は、エンボス加工により形成された第２エンボス部６０を有する。第１シート１０において、第１エンボス部５０は、複数の第１エンボス凹部５１、複数の第１エンボス凸部５２、及び第１非エンボス部５３を有する。また、第２シート２０において、第２エンボス部６０は、複数の第２エンボス凹部６１、複数の第２エンボス凸部６２、及び第２非エンボス部６３を有する。
【００６７】
第１シート１０の第１エンボス部５０では、第１エンボス凹部５１は、第１シート１０の一方の面１０ａに形成されている。また、第１エンボス凸部５２は、第１シート１０の他方の面１０ｂに形成されて、第１エンボス凹部５１と第１シート１０の表裏で対応する。さらに、第１非エンボス部５３は、複数の第１エンボス凸部５２に囲まれ且つ第１エンボス凸部５２が形成されない部分となる。
【００６８】
第２シート２０の第２エンボス部６０では、第２エンボス凹部６１は、第２シート２０の一方の面２０ａに形成されている。また、第２エンボス凸部６２は、第２シート２０の他方の面２０ｂに形成されて、第２エンボス凹部６１と第２シート２０の表裏で対応する。さらに、第２非エンボス部６３は、複数の第２エンボス凸部６２に囲まれ且つ第２エンボス凸部６２が形成されない部分となる。
【００６９】
このような構成では、第１エンボス凸部５２は、第１シート１０の一面（他方の面１０ｂ）に形成される凸部（凸エンボス）を構成する。また、第２エンボス凸部６２は、エンボス加工により第２シート２０の一面（他方の面２０ｂ）に形成される凸部（凸エンボス）を構成する。なお、エンボス加工の方法は、特に限定されず、例えば、スチールラバー式のエンボス付与方法により、図示しない凸エンボスロールを第１シート１０及び／または第２シート２０に押し付ける方法を採用することができる。
【００７０】
また、本実施形態では、第１シート１０の第１エンボス凸部５２が形成された形成面（他方の面）１０ｂと第２シート２０の第２エンボス凸部６２が形成された形成面（一方の面）２０ａとが対面している。
【００７１】
具体的には、第１シート１０の第１エンボス凸部５２の頂部５２ａが、第２シート２０の第２エンボス凸部６２が形成された形成面２０ａに接着剤４０を介して接着されている。また、第２シート２０の第２エンボス凸部６２の頂部６２ａは、第１シート１０の第１エンボス凸部５２が形成された形成面１０ｂに接着剤４０を介して接着されている。第２シート２０の第２エンボス凸部６２に対して、接着剤４０により接着されている。ここで、接着剤４０の材質は、特に限定されず、例えば、ポリビニルアルコール、デンプン、変性デンプン、寒天、シクロデキストリン等、またはカルボキシメチルセルロース等のセルロース系接着剤等を用いることができる。
【００７２】
なお、第１シート１０の第１エンボス凸部５２が形成された形成面（凸部形成面）１０ｂは、エンボス加工により凸部（凸エンボス）が形成された第１シート１０の一面（一方の面１０ａ）に対応する。また、第２シート２０の第２エンボス凸部６２が形成された形成面（凸部形成面）２０ｂは、エンボス加工により凸部（凸エンボス）が形成された第２シート２０の一面（一方の面２０ａ）に対応する。
【００７３】
また、本実施形態では、図６に示すように、第１シート１０の第１エンボス凸部５２の頂部５２ａと第２シート２０の第２エンボス凸部６２の頂部６２ａとが対面している。具体的には、第１シート１０の第１エンボス凸部５２の頂部５２ａは、第２シート２０の第２エンボス凸部６２に対して、接着剤４０により接着されている。これにより、２枚の水解性シートＳＴが、第１シート１０と第２シート２０との積層間で、エンボス凸部５２、６２の頂部５２ａ、６２ａ同士が対面し、非エンボス部５３、６３同士が対面するエンボス構造（ティップトゥティップ形式のエンボス構造）を有する。
【００７４】
本実施形態では、上述のように、積層された２枚の水解性シートＳＴを、凸部形成面１０ｂ、２０ｂが対面する第１シート１０と第２シート２０とで構成することにより、２枚の水解性シートＳＴの積層間ＢＳに空間（エンボス空間）ＥＳを形成することができる。そして、水解性シートＳＴの積層間ＢＳに形成された空間ＥＳには、消臭成分３０を収容することができる。
【００７５】
これにより、本実施形態では、水解性シートＳＴの積層間ＢＳに消臭成分３０を確実に担持させることができる。また、水解性シートＳＴの積層間ＢＳに担持される消臭成分３０の量を増やすことができる。
【００７６】
また、本実施形態では、上述のように、エンボス凸部５２、６２の頂部５２ａ、６２ａ同士が対面しかつ非エンボス部５３、６３同士が対面する（ティップトゥティップ形式のエンボス構造を有する）。これにより、頂部５２ａ、６２ａ同士が対面する両シートのエンボス凸部５２、６２によって囲まれた複数の空間ＥＳが、２枚の水解性シートＳＴの積層間ＢＳに分散して形成される。
【００７７】
このように水解性シートＳＴの積層間ＢＳに分散して形成された複数の空間ＥＳには、それぞれ消臭成分３０を収容することができる。そのため、本実施形態によれば、２枚の水解性シートＳＴの積層間ＢＳに消臭成分３０を確実に担持しながら、水解性シートＳＴの全体に分散して担持することができる。
【００７８】
なお、本実施形態では、上述のように、原紙ＳＴを構成する２枚の水解性シート（第１シート１０及び第２シート２０）の積層間ＢＳに、水に反応してアルカリ性を示す消臭成分３０（炭酸塩および／または塩基性酸化物）が担持されている。一方、原紙ＳＴが巻き付けられた筒状コアＰＴ（紙管）には、水に反応して酸性を示す消臭成分（例えば、クエン酸、リンゴ酸等）を担持するのが好ましい。
【００７９】
筒状コアＰＴに消臭成分を担持する方法は、特に限定されず、例えば、筒状コアＰＴ（紙管）を構成する厚紙に消臭成分を含有させたもの、筒状コアＰＴの径方向の外側および／または内側に消臭成分を含む層が積層されたもの、厚紙に消臭成分が塗工等により付与されたもの等が挙げられる。
【００８０】
衛生薄葉紙１００として、このような筒状コアＰＴに上述の原紙ＳＴが巻き付けられたトイレットロールＳＲを採用することにより、例えば、酸性を示す臭気（例えば、糞尿、生ごみ等から生じる硫化水素、メチルメルカプタン等）に対しては、原紙ＳＴに担持された消臭成分３０（水に反応してアルカリ性を示す）が消臭作用を発揮し得る。一方、アルカリ性を示す臭気（例えば、尿、汗、生ごみ等の腐敗臭であるアンモニア、トリメチルアミン等）に対しては、筒状コアＰＴに担持された消臭成分３０（水に反応して酸性を示す）が消臭作用を発揮し得る。これにより、臭気の種類に応じて消臭作用を発揮することが可能となる。
【実施例】
【００８１】
以下、本発明について、さらに実施例を用いて具体的に説明する。実施例、比較例の評価は、以の試験により行った。
【００８２】
［ｐＨ試験］
衛生薄葉紙１００について、ｐＨ試験を行った。ｐＨ試験では、容量が１０Ｌの容器（アズワン製、テドラーバッグ１０Ｌ）の片端を裁断し、中に約３００ミリリットルの水に衛生薄葉紙１００の試験片（１０ｃｍ×１０ｃｍ）をいれたビーカーをおき、密封した。ＪＴＥＴＣ法の消臭性能試験に準じてパーミエーターにて硫化水素ガス（濃度４ｐｐｍ）を３リットル注入した。そして、３０分後の水素イオン濃度（ｐＨ）を容器の内壁に貼りつけたｐＨメーター（アズワン製、ＰＨ試験紙ロールタイプＰＨ０−１４）を用いて測定した。なお、試験片がない状態で硫化水素ガスを注入した際のｐＨ４．０を試験片の投入前のｐＨとし、試験片がある状態で硫化水素ガスを注入してから３０分後のｐＨを試験片の投入後のｐＨとして評価した。
【００８３】
［消臭試験］
衛生薄葉紙１００について、消臭試験を行った。消臭試験では、容量が１０Ｌの容器（アズワン製、テドラーバッグ１０Ｌ）の片端を裁断し、中に約３００ミリリットルの水に衛生薄葉紙１００の試験片（１０ｃｍ×１０ｃｍ）をいれたビーカーをおき、密閉した。上述のｐＨ試験と同様に硫化水素ガスを注入し、１０分後の硫化水素の濃度を、ＪＴＥＴＣ法の消臭性能試験に準じて測定した。硫化水素の濃度測定には、検知管式気体測定器（ガステック社製、ＧＶ−１００Ｓ）および検知管（ガステック社製、４ＬＬ）を用いた。なお、硫化水素ガス濃度としてパーミエーターにて調整されたガス濃度４ｐｐｍを試験片の投入前のガス濃度（硫化水素濃度）とし、試験片がある状態で硫化水素ガスを注入してから３０分後のガス濃度を試験片の投入後のガス濃度（硫化水素濃度）として評価した。
【００８４】
以下、実施例及び比較例について、説明する。
【００８５】
［実施例１］
衛生薄葉紙１００として、図２に示すように、原紙ＳＴに消臭成分３０を担持したものを作製した。原紙ＳＴには、坪量１６．３ｇ／ｍ２、紙厚１３１μｍの水解性シートを２枚積層したもの（第１シート１０、第２シート２０）を用いた。消臭成分３０（消臭剤３１）には、水に反応してアルカリ性を示す粒子状の固体である炭酸塩（平均粒子径が６μｍ〜１００μｍの炭酸カルシウム）を用いた。また、消臭成分３０（消臭剤３１）は、水溶性の接着剤３２（デンプン）で覆われており、この消臭成分３０（消臭剤３１）を２枚の水解性シートの積層間ＢＳに担持することにより、２枚の水解性シートを接着した。作製した衛生薄葉紙１００について、ｐＨ試験、消臭試験を行い、消臭性を評価した。結果を表１に示す。
【００８６】
［実施例２］
原紙ＳＴを構成する２枚の水解性シートを、図６に示すように、複数の第１エンボス凸部５２を有する第１シート１０と、複数の第２エンボス凸部６２を有する第２シート２０とで構成し、第１シート１０の第１エンボス凸部５２の頂部５２ａと第２シート２０の第２エンボス凸部６２の頂部６２ａとを対面させて、エンボス凸部５２、６２の頂部５２ａ、６２ａ同士を接着剤４０により接着し（ティップトゥティップ形式のエンボス構造を採用し）、水解性シートＳＴの積層間ＢＳに分散して形成された複数の空間ＥＳにそれぞれ消臭成分３０を収容した以外は、実施例１と同様に衛生薄葉紙１００を作製し、消臭性を評価した。結果を表１に示す。
【００８７】
［比較例１］
消臭成分３０に代えてポリフェノール系消臭剤（リリース科学工業株式会社製のパンシル（登録商標）ＦＧ−２５）を原紙ＳＴに噴霧して含浸させた以外は、実施例１と同様に衛生薄葉紙１００を作製し、消臭性を評価した。結果を表１に示す。
【００８８】
［比較例２］
消臭成分３０を原紙ＳＴに担持させなかった以外は、実施例１と同様に衛生薄葉紙１００を作製し、消臭性を評価した。結果を表１に示す。
【００８９】
【表１】
2020074977.tif 000003
【００９０】
表１より、原紙ＳＴとして２枚の水解性シート（第１シート１０、第２シート２０）を積層した積層間ＢＳに、消臭成分３０として炭酸塩（水に反応してアルカリ性を示す粒子状の固体）を担持した衛生薄葉紙１００では、衛生薄葉紙１００の投入後に、ｐＨが６〜８の範囲（中性）となり、硫化水素濃度は１．０ｐｐｍ以下となり、消臭性の評価は○（良好）であった（実施例１、２）。
【００９１】
また、原紙ＳＴとして２枚の水解性シート（第１シート１０、第２シート２０）をティップトゥティップ形式のエンボス構造により積層した衛生薄葉紙１００では、消臭試験の結果が向上した（実施例２）。
【００９２】
これに対して、原紙ＳＴに消臭成分３０を担持しなかった衛生薄葉紙１００では、衛生薄葉紙１００の投入前と投入後で、ｐＨ、硫化水素濃度のどちらもほとんど変化せず、消臭性の評価は×（不良）であった（比較例１、２）。
【００９３】
これらの結果から、原紙ＳＴに消臭成分３０が担持された衛生薄葉紙１００は、臭気に対して即効性のある消臭効果が得られるものであることが判った。
【００９４】
以上、本発明の実施形態について説明したが、本発明は特定の実施形態に限定されるものではなく、特許請求の範囲に記載された発明の範囲内において、種々の変形、変更が可能である。
【符号の説明】
【００９５】
１００  衛生薄葉紙（トイレットロール）
ＰＴ  紙管
ＳＴ  原紙（水解性シート）
１０  第１シート
２０  第２シート
３０  消臭成分
３１  消臭剤
３２  水溶性の接着剤
４０  接着剤
５０  第１エンボス部
５１  第１エンボス凹部
５２  第１エンボス凸部
５２ａ  頂部
５３  第１非エンボス部
６０  第２エンボス部
６１  第２エンボス凹部
６２  第２エンボス凸部
６２ａ  頂部
６３  第２非エンボス部
ＥＳ  エンボス空間
【図１】
2020074977.tif 000004
【図２】
2020074977.tif 000005
【図３】
2020074977.tif 000006
【図４】
2020074977.tif 000007
【図５】
2020074977.tif 000008
【図６】
2020074977.tif 000009